【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
スイッチングレギュレータ回路であって、
入力電圧を受け取るための入力端子と、出力ノードに結合された出力端子とを有する第１のスイッチングトランジスタと、
期間を有するランプ信号を生成するためのランプジェネレータと、
前記ランプ信号および誤差信号を受信するための比較器と、前記比較器の前記出力は、フリップフロップに結合され、それに従って、変調信号を生成する、
を備え、
ここにおいて、第１の動作モードでは、前記ランプ信号は、前記誤差信号と交差するように増加し、それに従って、前記ランプ信号の各期間中の前記第１のスイッチングトランジスタの状態を変化させ、第２の動作モードでは、前記誤差信号は、前記ランプ信号の最大値を超えて増加し、それに従って、前記第１のスイッチングトランジスタは、前記ランプ信号の１つまたは複数の全期間にわたってオンにされる、
前記ランプジェネレータは、前記スイッチングレギュレータにおける電流を感知して、前記ランプ信号におけるオフセットを生成するための電流フィードバック回路と、ここにおいて、前記ランプ信号の前記最大値は、前記誤差信号の最大値よりも小さい、
電流源と、
前記電流源に結合された端子を有するキャパシタと、
スイッチと、
リセット信号を受信するように結合された第１の入力と、前記変調信号を受信するように結合された第２の入力とを有する論理和ゲートと、ここにおいて、前記リセット信号が第１の状態にあるとき、前記ランプ信号は一定値を有し、前記リセット信号が第２の状態にあるとき、前記ランプ信号は前記最大値まで増加する、
ここにおいて、前記オフセットおよび前記電流源の大きさは、前記誤差信号の最大値よりも小さくなるように前記最大値を設定するように構成される、
をさらに備える、
スイッチングレギュレータ回路。
【請求項２】
前記誤差信号は、前記出力ノードからのフィードバック電圧を受け取るように結合された第１の入力と、基準電圧に結合された第２の入力とを有する誤差増幅器によって生成される、請求項１に記載の回路。
【請求項３】
クロック信号を受信して、前記リセット信号を生成するための分周器回路をさらに備え、前記クロック信号は、前記ランプ信号の前記期間を設定する、請求項１に記載の回路。
【請求項４】
第１のスイッチングトランジスタの入力端子で入力電圧を受け取ることと、前記第１のスイッチングトランジスタは、出力ノードに結合された出力端子を有し、
期間を有するランプ信号を生成することと、
前記ランプ信号と誤差信号を比較し、変調信号を生成するために前記比較された信号をフリップフロップにおいて記憶することと、
ここにおいて、第１の動作モードでは、前記ランプ信号は、前記誤差信号と交差するように増加し、それに従って、前記ランプ信号の各期間中の前記第１のスイッチングトランジスタの状態を変化させ、第２の動作モードでは、前記誤差信号は、前記ランプ信号の最大値を超えて増加し、それに従って、前記第１のスイッチングトランジスタは、前記ランプ信号の１つまたは複数の全期間にわたってオンにされる、
前記スイッチングレギュレータにおける電流を感知することと、
前記感知された電流に基づいて、前記ランプ信号におけるオフセットを生成することと、ここにおいて、前記ランプ信号の前記最大値は、前記誤差信号の最大値よりも小さい、
を備え、
ここにおいて、前記ランプ信号を生成することは、
キャパシタへの電流を生成することと、
前記変調信号およびリセット信号の論理和に応答して、前記キャパシタを放電することと
を備え、
ここにおいて、前記リセット信号が第１の状態にあるとき、前記ランプ信号は一定値を有し、前記リセット信号および変調信号の両方が第２の状態にあるとき、前記ランプ信号は前記最大値まで増加し、
ここにおいて、前記オフセットおよび前記電流源の大きさは、前記誤差信号の最大値よりも小さくなるように前記ランプ信号の前記最大値を設定するように構成される、方法。
【請求項５】
前記誤差信号は、前記出力ノードからのフィードバック電圧と、基準電圧とに基づいて生成される、請求項３に記載の方法。
【請求項６】
クロック信号を分周して、前記リセット信号を生成することをさらに備え、前記クロック信号は、前記ランプ信号の前記期間を設定する、請求項４に記載の方法。
【手続補正２】
【補正対象書類名】明細書
【補正対象項目名】００２２
【補正方法】変更
【補正の内容】
【００２２】
[0026]上記説明は、どのように特定の実施形態の態様がインプリメントされうるかの例とともに、本発明の様々な実施形態を例示する。上記例は、唯一の実施形態であるように見なされるべきではなく、以下の特許請求の範囲によって定義される特定の実施形態の柔軟性および利点を例示するために示された。上記開示および以下の特許請求の範囲に基づいて、他の配置、実施形態、インプリメンテーションおよび同等物が、特許請求の範囲によって定義される本開示の範囲から逸脱することなく用いられうる。
以下に、本願出願の当初の特許請求の範囲に記載された発明を付記する。
［Ｃ１］
入力電圧を受け取るための入力端子と、出力ノードに結合された出力端子とを有する第１のスイッチングトランジスタと、
期間を有するランプ信号を生成するためのランプジェネレータと、
前記ランプ信号および誤差信号を受信し、それに従って、変調信号を生成するための比較器と
を備え、
ここにおいて、第１の動作モードでは、前記ランプ信号は、前記誤差信号と交差するように増加し、それに従って、前記ランプ信号の各期間中の前記第１のスイッチングトランジスタの状態を変化させ、第２の動作モードでは、前記誤差信号は、前記ランプ信号の最大値を超えて増加し、それに従って、前記スイッチングトランジスタは、前記ランプ信号の１つまたは複数の全期間にわたってオンにされる、
スイッチングレギュレータ回路。
［Ｃ２］
前記誤差信号は、前記出力ノードからのフィードバック電圧を受け取るように結合された第１の入力と、基準電圧に結合された第２の入力とを有する誤差増幅器によって生成される、Ｃ１に記載の回路。
［Ｃ３］
前記ランプジェネレータは、
電流源と、
前記電流源に結合された端子を有するキャパシタと、
スイッチと
を備え、
ここにおいて、前記電流源の大きさは、前記誤差信号の最大値よりも小さくなるように前記ランプ信号の前記最大値を設定するように構成される、Ｃ１に記載の回路。
［Ｃ４］
前記ランプジェネレータは、リセット信号を受信し、前記リセット信号が第１の状態にあるとき、前記ランプ信号は一定値を有し、前記リセット信号が第２の状態にあるとき、前記ランプ信号は前記最大値まで増加し、前記リセット信号の前記第２の状態の時間期間は、前記誤差信号の最大値よりも小さくなるように前記ランプ信号の前記最大値を設定するように構成される、Ｃ１に記載の回路。
［Ｃ５］
クロック信号を受信して、前記リセット信号を生成するための分周器回路をさらに備え、前記クロック信号は、前記ランプ信号の前記期間を設定する、Ｃ４に記載の回路。
［Ｃ６］
前記ランプジェネレータは、前記スイッチングレギュレータにおける電流を感知して、前記ランプ信号におけるオフセットを生成するための電流フィードバック回路をさらに備え、ここにおいて、前記ランプ信号の前記最大値は、前記誤差信号の最大値よりも小さい、Ｃ１に記載の回路。
［Ｃ７］
前記ランプジェネレータは、
電流源と、
前記電流源に結合された端子を有するキャパシタと、
スイッチと、
リセット信号を受信するように結合された第１の入力と、前記変調信号を受信するように結合された第２の入力とを有する論理和ゲートと、ここにおいて、前記リセット信号が第１の状態にあるとき、前記ランプ信号は一定値を有し、前記リセット信号が第２の状態にあるとき、前記ランプ信号は前記最大値まで増加する、
を備え、
ここにおいて、前記オフセットおよび前記電流源の大きさは、前記誤差信号の最大値よりも小さくなるように前記最大値を設定するように構成される、Ｃ６に記載の回路。
［Ｃ８］
第１のスイッチングトランジスタの入力端子で入力電圧を受け取ることと、前記スイッチングトランジスタは、出力ノードに結合された出力端子を有し、
期間を有するランプ信号を生成することと、
変調信号を生成するために前記ランプ信号と誤差信号を比較することと
を備え、
ここにおいて、第１の動作モードでは、前記ランプ信号は、前記誤差信号と交差するように増加し、それに従って、前記ランプ信号の各期間中の前記第１のスイッチングトランジスタの状態を変化させ、第２の動作モードでは、前記誤差信号は、前記ランプ信号の最大値を超えて増加し、それに従って、前記スイッチングトランジスタは、前記ランプ信号の１つまたは複数の全期間にわたってオンにされる、方法。
［Ｃ９］
前記誤差信号は、前記出力ノードからのフィードバック電圧と、基準電圧とに基づいて生成される、Ｃ８に記載の方法。
［Ｃ１０］
前記ランプ信号を生成することは、
キャパシタへの電流を生成することと、
第１の信号に応答して、前記キャパシタを放電することと
を備え、
ここにおいて、前記電流の大きさは、前記誤差信号の最大値よりも小さくなるように前記ランプ信号の前記最大値を設定するように構成される、Ｃ８に記載の方法。
［Ｃ１１］
前記ランプ信号を生成することは、
リセット信号を受信することを備え、ここにおいて、前記リセット信号が第１の状態にあるとき、前記ランプ信号は一定値を有し、前記リセット信号が第２の状態にあるとき、前記ランプ信号は前記最大値まで増加し、前記リセット信号の前記第２の状態の時間期間は、前記誤差信号の最大値よりも小さくなるように前記ランプ信号の前記最大値を設定するように構成される、Ｃ８に記載の方法。
［Ｃ１２］
クロック信号を分周して、前記リセット信号を生成することをさらに備え、前記クロック信号は、前記ランプ信号の前記期間を設定する、Ｃ１１に記載の方法。
［Ｃ１３］
前記スイッチングレギュレータにおける電流を感知することと、
前記感知された電流に基づいて、前記ランプ信号におけるオフセットを生成することと、ここにおいて、前記ランプ信号の前記最大値は、前記誤差信号の最大値よりも小さい、
をさらに備える、Ｃ８に記載の方法。
［Ｃ１４］
前記ランプ信号を生成することは、
キャパシタへの電流を生成することと、
前記変調信号およびリセット信号の論理和に応答して、前記キャパシタを放電することと
を備え、
ここにおいて、前記リセット信号が第１の状態にあるとき、前記ランプ信号は一定値を有し、前記リセット信号および変調信号の両方が第２の状態にあるとき、前記ランプ信号は前記最大値まで増加し、
ここにおいて、前記オフセットおよび前記電流源の大きさは、前記誤差信号の最大値よりも小さくなるように前記ランプ信号の前記最大値を設定するように構成される、Ｃ１３に記載の方法。
［Ｃ１５］
入力電圧を受け取るための入力端子と、出力ノードに結合された出力端子とを有する第１のスイッチングトランジスタと、
ランプ信号を生成するための手段と、前記ランプ信号は、期間を有し、
変調信号を生成するために前記ランプ信号と誤差信号を比較するための手段と
を備え、
ここにおいて、第１の動作モードでは、前記ランプ信号は、前記誤差信号と交差するように増加し、それに従って、前記ランプ信号の各期間中の前記第１のスイッチングトランジスタの状態を変化させ、第２の動作モードでは、前記誤差信号は、前記ランプ信号の最大値を超えて増加し、それに従って、前記スイッチングトランジスタは、前記ランプ信号の１つまたは複数の全期間にわたってオンにされる、
スイッチングレギュレータ回路。